(57)【特許請求の範囲】
【請求項１】
ランプボディのレンズ据付溝に嵌合するシール脚を備えた自動車用灯具のレンズの内面であって上記シール脚より外側の部分に塗装を施すときに用いられる塗装用マスク治具であって、
レンズのシール脚を覆うシール脚覆部と該シール脚に囲まれたレンズ面を覆うレンズ面覆部とから成り、
シール脚覆部は、シール脚の断面形状よりも一回り大きい断面形状をした凹部を有しており、
該凹部の奥部にシール脚の端面に当接する緩衝材が設けられ、
シール脚覆部の凹部の奥部に上記緩衝材の抜け止め用の段部が形成された
ことを特徴とする塗装用マスク治具。
【発明の詳細な説明】
【０００１】
【発明の属する技術分野】
本発明は、シール脚を備えた自動車用灯具のレンズの一部に塗装を施すときに用いられる塗装用マスク治具であって、塗装用マスク治具とレンズとの間の間隙を縫って塗料がレンズ面に付着しないようにすることができる塗装用マスク治具に関するものである。
【０００２】
【従来の技術】
自動車用灯具のレンズには、灯具ボディの開口周縁に形成されたレンズ据付溝に嵌合するシール脚が形成されたものがある。
【０００３】
そして、このようなシール脚付レンズは、これを灯具ボディに取着したときにレンズ周縁の内側を隠すため、或いは、自動車の車体との一体感を持たせるためなどの理由により、レンズの内面であってシール脚の外側の部分（以下、「レンズ内面周縁部」という。）に塗装を施すことがある。
【０００４】
図４乃至図６はこのような自動車用灯具用のレンズａのレンズ内面周縁部を塗装するときに用いられる塗装用マスク治具ｂ一例を示すものである。
【０００５】
レンズａは、レンズ本体ｃの内面であってその周縁からやや内側に寄った位置に、後方へ突出する環状のシール脚ｄがレンズ本体ｃと一体に形成されている。そして、このようなレンズａを灯具ボディ（図示は省略する。）に取着するときは、灯具ボディの開口周縁に形成されたレンズ取付溝に上記シール脚ｄを嵌合するようになっている。
【０００６】
また、レンズａのレンズ内面周縁部には塗装が施されている。このようなレンズａのレンズ内面周縁部への塗装は、該レンズ内面周縁部（塗装予定部位）以外の部分を塗装用マスク治具ｂで覆い、スプレーガンにより塗料を吹き付けることにより行なう。
【０００７】
すなわち、塗装用マスク治具ｂは、レンズａの内面より一回り小さな大きさを有し、その周縁部にレンズａのシール脚ｄを嵌合する溝ｅが形成されている。
【０００８】
そして、このような塗装用マスク治具ｂをレンズａの内面側から、その溝ｅがレンズａのシール脚ｄに外嵌するように位置させて、レンズａの内面をシール脚ｄとともに覆う。
【０００９】
この状態で、レンズａのレンズ内面周縁部にスプレーガンにより塗料の吹き付けを行い、該部分に塗装を施すようになっている。
【００１０】
【発明が解決しようとする課題】
ところで、このような塗装用マスク治具ｂは、これがレンズ内面に直接接触するとレンズ面を傷つけることから、レンズ内面をマスクした状態で両者間に間隙が形成されるようにする必要があり、塗装用マスク治具ｂをレンズ面からやや浮いた状態に保持して塗装が行われる。
【００１１】
また、このような塗装用マスク治具ｂは同一形状の多数のレンズａの塗装に用いられるため、レンズａの寸法誤差を考慮して、上記溝ｅの形状はレンズａのシール脚ｄよりも大きく形成しておく必要がある。
【００１２】
そして、このような塗装用マスク治具ｂでレンズａの内側面を覆った状態でレンズａのレンズ内面周縁部に塗料を吹き付けると、レンズａと塗装用マスク治具ｂとの間の間隙から霧状の塗料がレンズａの内面まで廻りこんでしまい、予期せぬ部分に塗料が付着してしまうという問題があった。
【００１３】
【課題を解決するための手段】
本発明塗装用マスク治具は、上記した課題を解決するために、レンズのシール脚を覆うシール脚覆部とレンズ面を覆うレンズ面覆部とから成り、シール脚覆部が、シール脚の断面形状よりも一回り大きい断面形状をした凹部を備え、該凹部の奥部にシール脚の端面に当接する緩衝材を設け、シール脚覆部の凹部の奥部に緩衝材の抜け止め用の段部を形成したものである。
【００１４】
従って、本発明塗装用マスク治具によれば、塗装用マスク治具を直接レンズ面に接触させることなく、かつ、スプレーによる塗装を施したときに塗料がレンズ面に廻りこむことはなく、塗装の不要な部分に塗料が付着することがない。また、緩衝材は段部に引っ掛かって凹部から容易に離脱しないので、シール脚覆部の凹部の奥部に緩衝材を接着剤を使用せずに取着することができる。
【００１５】
【発明の実施の形態】
以下に本発明塗装用マスク治具の詳細を、図１に示す基本的構成例と共に説明する。
【００１６】
図１は本発明塗装用マスク治具の基本的構成例を示すものであり、図中１はレンズであり、該レンズ１はそのレンズ本体２の内面であってその周縁からやや内側に寄った位置に、後方へ突出する環状のシール脚３がレンズ本体２と一体に形成されている。尚、本発明の基本的構成例や実施例において用いるレンズは上記従来例で示したものと同じものであり、図面には、その一部を断面として示す。
【００１７】
そして、レンズ１のうちその内面のシール脚３よりも外側の部分４（レンズ内面周縁部）に塗装が施される部分である。
【００１８】
５は塗装用マスク治具であり、レンズ１の内面より一回り小さな大きさを為したレンズ面覆部６と該レンズ面覆部６の周縁にレンズ面に直交する方向に開口する断面コ字状のシール脚覆部７が一体に形成されて成り、該シール脚覆部７の凹部８にレンズ１のシール脚３が余裕をもって嵌合するようになっている。尚、このような塗装用マスク治具５は、例えば、レンズ１よりも一回り大きな模型に金属（例えば、ニッケル）を電気鋳造法により電着させて形成される。
【００１９】
また、塗装用マスク治具５の周縁に形成したシール脚覆部７の凹部８の奥面には、例えば、シリコーン樹脂から成る緩衝材９が接着剤により貼着されており、当該塗装用マスク治具５でレンズ１を覆ったときに、緩衝材９の表面がレンズ１のシール脚３の端面に当接するようになっている。かかる当接はシール脚３の端面の全周に亘って為されるようになっており、そのためには、レンズ１の寸法誤差を考慮して、当接したときに緩衝材９がやや潰れるような大きさにしておくことが好ましい。
【００２０】
尚、緩衝材９はシリコーン樹脂に限らず、ウレタン樹脂、ゴム等で形成しても良く、要は、シール脚３の後端面により押圧されたときに、やや圧潰されるものであればよい。また、スポンジのような多孔質なものでも塗料を吹き付けたときに、霧（ガス）状の塗料を通さないものであれば良い。ただし、塗装用マスク治具５に付着した塗料を洗浄するために、例えば、メタレンクロレイドを使用する場合には、シリコーン樹脂やウレタン樹脂で形成するのが好ましい。
【００２１】
しかして、塗装用マスク治具５を、その凹部８にレンズ１のシール脚３が嵌合するように位置させると、レンズ１のレンズ面はレンズ覆部６により覆われ、シール脚３はシール脚覆部７に覆われて、レンズ１の内面側がマスクされる。このとき、凹部８の奥面に貼着された緩衝材９はシール脚３の端面にその全周に亘って当接される。
【００２２】
この状態で、レンズ１のシール脚３のレンズ内面周縁部４に塗料をスプレーにより吹き付ける。このとき、霧（ガス）状の塗料はレンズ内面周縁部４のみならず、シール脚３の外周面にも塗料が廻りこんで付着することになるが、上記緩衝材９によりそれ以上レンズ１の内面側には侵入することはなく、よって、レンズ１のレンズ面の内側に塗料が付着することはない。
【００２３】
図２は本発明塗装用マスク治具の第１の実施例を示すものである。
【００２４】
この第１の実施例が前記基本的構成例と比較して相違する点は、塗装用マスク治具のシール脚覆部の凹部の断面形状及び該凹部の奥部に取着された緩衝材の断面形状のみであるので、図面には要部のみを示し、また、その説明は上記相違点についてのみ行い、他の部分については図面の各部に前記基本的構成例に係る塗装用マスク治具における同様の部分に付した符号と同じ符号を付することによりその説明を省略する。
【００２５】
１０は塗装用マスク治具であり、その周縁のシール脚覆部１１に形成された凹部１２はその奥部において、内側の周壁１３が奥に行くに従い外側の周壁１４から離れた方向に変位するように傾斜面１３ａに形成されている（図２参照）。
【００２６】
上記凹部１２に取着される緩衝材１５は、その断面形状が上記凹部１２の奥部の断面形状とほゞ同じ形状をしており、該緩衝材１５は凹部１２の奥部にほゞぴったり嵌合される。
【００２７】
そして、このような塗装用マスク治具１０にあっても、上記基本的構成例で示した塗装用マスク治具５と同様な効果を奏するほか、緩衝材１５は凹部１２の傾斜した内側の周壁１３の傾斜面１３ａに引っ掛かって該凹部１２から容易に離脱しないという効果を奏し、緩衝材１５を凹部１２の奥面に接着する必要がない。
【００２８】
図３は本発明塗装用マスク治具の第２の実施例を示すものである。
【００２９】
この第２の実施例が前記基本的構成例と比較して相違する点は、塗装用マスク治具のシール脚覆部の断面形状のみであるので、図面には要部のみを示し、また、その説明は上記相違点についてのみ行い、他の部分については図面の各部に前記基本的構成例に係る塗装用マスク治具における同様の部分に付した符号と同じ符号を付することによりその説明を省略する。
【００３０】
１６は塗装用マスク治具であり、その周縁のシール脚覆部１７に形成された凹部１８はその奥部１９において横幅が広くなるように形成され、これによって、該奥部とその余の部分との間に段部２０、２１が形成されている（図３参照）。
【００３１】
上記凹部１８に取着される緩衝材２２は、その断面形状が上記凹部１８の奥部の内部空間１９の断面形状とほゞ同じ形状をしており、該緩衝材２２は該内部空間１９にほゞぴったり嵌合される。
【００３２】
そして、このような塗装用マスク治具１６にあっても、上記基本的構成例で示した塗装用マスク治具５と同様な効果を奏するほか、緩衝材２２は段部２０、２１に引っ掛かって凹部１８から容易に離脱しないという効果を奏し、緩衝材２２を凹部１８の奥面に接着する必要がない。
【００３３】
【発明の効果】
以上に記載したところから明らかなように、本発明によれば、塗装用マスク治具を直接レンズ面に接触させることなく、かつ、スプレーによる塗装を施したときに塗料がレンズ面に廻りこむことがなく、塗装の不要な部分に塗料が付着することがない。また、緩衝材は段部に引っ掛かって凹部から容易に離脱しないので、シール脚覆部の凹部の奥部に緩衝材を接着剤を使用せずに取着することができる。
【００３５】
尚、前記した各実施例等において示した各部の具体的な形状乃至構造は、本発明を実施するに当たっての具体化のほんの一例を示したものに過ぎず、これらによって本発明の技術的範囲が限定的に解釈されることがあってはならない。
【図面の簡単な説明】
【図１】  本発明塗装用マスク治具の基本的構成例を示す要部の拡大断面図である。
【図２】  本発明塗装用マスク治具の第１の実施例を示す要部の拡大断面図である。
【図３】  本発明塗装用マスク治具の第２の実施例を示す要部の拡大断面図である。
【図４】  図５及び図６と共に、従来の塗装用マスク治具の一例を示すものであり、本図はレンズを塗装用マスク治具で覆う前の状態を示す斜視図である。
【図５】  レンズを塗装用マスク治具で覆った状態を示す斜視図である。
【図６】  レンズを塗装用マスク治具で覆った状態の断面図である。
【符号の説明】
１…レンズ、３…シール脚、４…外側基部周縁、６…レンズ面覆部、１０…塗装用マスク治具、１１…シール脚覆部、１２…凹部、１３ａ…段部（傾斜面）、１５…緩衝材、１６…塗装用マスク治具、１７…シール脚覆部、１８…凹部、２０…段部、２１…段部、２２…緩衝材
【図１】
0003806212.tif 000002
【図２】
0003806212.tif 000003
【図３】
0003806212.tif 000004
【図４】
0003806212.tif 000005
【図５】
0003806212.tif 000006
【図６】
0003806212.tif 000007